(57)【特許請求の範囲】
【請求項１】
外箱の内部に内箱を設置して外箱の内部空間を内箱の外側と内側に仕切って構成され、前記外箱は、四角形の底壁部の４辺から立ち上がる第１、第２、第３及び第４の側壁部を具える一方、前記内箱は、四角形の底壁部の４辺から立ち上がる第１、第２、第３及び第４の側壁部を具え、前記内箱の第１、第２、第３及び第４の側壁部がそれぞれ前記外箱の第１、第２、第３及び第４の側壁部と対向している梱包装置において、
前記内箱の第１側壁部の外側には、該第１側壁部の上端縁にて折り返された第１折り返し部が形成されて、該折り返し部が前記外箱の第１側壁部の内面に接触すると共に、前記内箱の第１側壁部と平行な第３側壁部の外側には、該第３側壁部の上端縁にて折り返された第２折り返し部が形成されて、該折り返し部が前記外箱の第３側壁部とスペースをおいて対向し、
前記内箱の第１側壁部に隣接する第２側壁部の両端部にはそれぞれ第１フラップ部と第２フラップ部が突設され、第１フラップ部が前記内箱の第１側壁部と第１折り返し部との間に挟持されると共に、第２フラップ部が前記内箱の第３側壁部と第２折り返し部との間に挟持され、
前記内箱の第２折り返し部には、前記外箱の第４側壁部側の端部に、前記外箱の第３側壁部へ向けてアーム部が突設され、該アーム部の先端が、前記外箱の第３側壁部の内面に当接していることを特徴とする梱包装置。
【請求項２】
前記内箱は、前記外箱の第１側壁部と第４側壁部に接触して設置され、前記内箱の第２側壁部は、前記外箱の第２側壁部とスペースをおいて対向し、前記内箱の第１折り返し部には、前記外箱の第２側壁部側の端部に、前記外箱の第２側壁部へ向けてアーム部が突設され、該アーム部の先端が、前記外箱の第２側壁部の内面に当接している請求項１に記載の梱包装置。
【発明の詳細な説明】
【技術分野】
【０００１】
本発明は、電子機器等を収容するための梱包装置、並びに該梱包装置に用いる内箱に関するものである。
【背景技術】
【０００２】
従来、この種の梱包装置においては、外箱の内部に段ボール等の紙製の仕切り部材を設置して外箱の内部に２つの収容室を形成することにより、一方の収容室に収容された部品と他方の収容室に収容された部品との衝突による部品の損傷を防止することが行なわれている(特許文献１参照)。
【０００３】
図７は、デジタルカメラ等の電子機器の梱包装置を示している。該梱包装置は、それぞれ段ボール製の外箱(１)と内箱(４)から構成され、外箱(１)の内部に内箱(４)が設置されて、外箱(１)の内部空間が内箱(４)の外側と内側に仕切られている。該梱包装置においては、内箱(４)の内部には機器本体が収容されると共に、内箱(４)の外側には付属部品が収容され、段ボールの緩衝作用によって機器の損傷が防止される。
【０００４】
内箱(４)は、図９に示す形状に切断された段ボール製の板材を折り曲げることによって作製される。尚、図９は、内箱(４)を平面に展開したときの表面(機器が収容される空間と接する面)の形状を示している。
【０００５】
該板材を表面から見て、図中のＡ線、Ｂ線、Ｃ線及びＤ線に沿って谷折りとすることにより、四角形の底壁部(41)の４辺から立ち上がる４つの側壁部(42)(47)(44)(50)を形成する。この際、Ｇ線、Ｈ線及びＮ線に沿って谷折りとすることによって、折り畳み部(51)(52)(53)を形成する。更に、Ｅ線及びＦ線に沿って山折りとすることにより、互いに平行な２つの側壁部(42)(44)の上端縁にて外側へ１８０度折り返された２つの折り返し部(43)(45)を形成する。又、Ｋ線に沿って谷折りとすることにより、折り返し部(45)と直交するアーム部(46)を形成する。
【０００６】
この様にして作製された内箱(４)を図７の如く外箱(１)の内部に設置することにより、内箱(４)の第１折り返し部(43)は外箱(１)の第１側壁部(12)に沿って伸び、第１折り返し部(43)の突出部分がアーム部(43a)となって、該アーム部(43a)の先端が外箱(１)の第２側壁部(14)の内面に当接すると共に、折り畳み部(51)(52)の先端が外箱(１)の第４側壁部(15)の内面に当接する。又、第２折り返し部(45)に突設されたアーム部(46)の先端が外箱(１)の第３側壁部(13)の内面に当接する。この結果、内箱(４)は、外箱(１)の内部空間に拘持されることになる。
【特許文献１】特開２０００−７２１９６号公報
【発明の開示】
【発明が解決しようとする課題】
【０００７】
しかしながら、図７に示す従来の梱包装置においては、内箱(４)の第１側壁部(42)と第２側壁部(47)の角部に折り畳み部(53)が形成されており、該折り畳み部(53)は図８に示す様に反発力によって拡がり易いため、外箱(１)の内壁面による支持のない第２側壁部(47)が図中の矢印の様に移動し、該第２側壁部(47)のずれに伴って内箱(４)の形状が崩れる問題があった。
そこで本発明の目的は、外箱の内部に設置された内箱の形状維持に優れた梱包装置を提供することである。
【課題を解決するための手段】
【０００８】
本発明に係る梱包装置は、外箱(１)の内部に段ボール等の紙製の内箱(２)を設置して外箱(１)の内部空間を内箱(２)の外側と内側に仕切って構成される。
内箱(２)は、四角形の底壁部(21)の４辺から立ち上がる４つの側壁部(22)(24)(27)(30)を具え、第１側壁部(22)の外側には、該側壁部(22)の上端縁にて折り返された第１折り返し部(23)が形成されると共に、該側壁部(22)に隣接する第２側壁部(27)の少なくとも一方の端部には第１フラップ部(28)が突設され、該フラップ部(28)が前記第１側壁部(22)と第１折り返し部(23)との間に挟持されている。
【０００９】
具体的構成において、外箱(１)は、四角形の底壁部(11)の４辺から立ち上がる４つの側壁部(12)(14)(13)(15)を具え、内箱(２)の４つの側壁部(22)(24)(27)(30)の内、前記第１側壁部(22)及び第１折り返し部(23)は、外箱(１)の互いに平行な２つの側壁部(12)(13)の内、一方の側壁部(12)に沿って設置されると共に、前記第２側壁部(27)は、外箱(１)の前記一方の側壁部(12)から他方の側壁部(13)に向かって伸び、前記第１フラップ部(28)は、前記第２側壁部(27)の両端部の内、前記一方の側壁部(12)側の端部に突設されている。
【００１０】
又、内箱(２)の前記第１側壁部(22)と平行な第３側壁部(24)の外側には、該側壁部(24)の上端縁にて折り返された第２折り返し部(25)が形成されると共に、前記第１フラップ部(28)が突設された第２側壁部(27)の端部とは反対側の端部に、前記第３側壁部(24)に沿って第２フラップ部(29)が突設され、該フラップ部(29)が前記第３側壁部(24)と第２折り返し部(25)との間に挟持されている。
【００１１】
更に、内箱(２)の２つの折り返し部(23)(25)にはそれぞれアーム部(23a)(26)が突設され、該アーム部(23a)(26)の先端が、外箱(１)の互いに隣接する２つの側壁部(14)(13)の内面に当接して、内箱(２)が外箱(１)の内部空間に拘持されている。
【００１２】
上記本発明の梱包装置においては、内箱(２)の第２側壁部(27)が外箱(１)の内壁面による支持のないものであったとしても、第２側壁部(27)に突設された第１フラップ部(28)が、第１側壁部(22)と第１折り返し部(23)との間に挟持されているので、第１フラップ部(28)に繋がる第２側壁部(27)も拘束されることとなり、第２側壁部(27)のずれが阻止される。
又、第１側壁部(22)と第３側壁部(24)が第２側壁部(27)を介して互いに離間不能に連結されるため、第４側壁部(30)のずれも阻止されることになる。
この結果、内箱(２)の変形が防止されて、内箱(２)の内側と外側に形成されている２つの収容空間の形状が一定に維持されることになる。
【発明の効果】
【００１３】
本発明に係る梱包装置及び内箱によれば、外箱の内部での内箱の形状維持作用が強化され、これによって外箱の内部空間に形成されている２つの収容室の形状維持作用が強化される。
【発明を実施するための最良の形態】
【００１４】
以下、本発明の実施の形態につき、図面に沿って具体的に説明する。
図１及び図２は、本発明に係る梱包装置を表わしている。該梱包装置は、それぞれ段ボール製の外箱(１)と内箱(２)から構成され、外箱(１)の内部に内箱(２)が設置されて、外箱(１)の内部空間が内箱(２)の外側と内側に仕切られている。
該梱包装置においては、内箱(２)の内部にはデジタルカメラ等の機器本体が収容されると共に、内箱(２)の外側には充電器等の付属部品が収容され、段ボールの緩衝作用によって機器の損傷が防止される。
【００１５】
内箱(２)は、図５に示す形状に切断された段ボール製の板材を折り曲げることによって作製される。尚、図５は、内箱(２)を平面に展開したときの内箱(４)を平面に展開したときの表面(機器が収容される空間と接する面)の形状を示している。ここで、図中のＫ線、Ｌ線及びＭ線は切り込みであって、該切り込みによって後述の２つのフラップ部(28)(29)が形成されている。
【００１６】
該板材を表面から見て、図中のＡ線、Ｂ線、Ｃ線及びＤ線に沿って谷折りとすることにより、四角形の底壁部(21)の４辺から立ち上がる４つの側壁部(22)(27)(24)(30)を形成する。この際、Ｇ線及びＨ線に沿って谷折りとすることによって、折り畳み部(31)(32)を形成する。
【００１７】
更に、Ｅ線及びＦ線に沿って山折りとすることにより、互いに平行な第１側壁部(22)と第３側壁部(24)の上端縁にてそれぞれ外側へ１８０度折り返された第１折り返し部(23)と第２折り返し部(25)を形成する。
この際、図６に示す様に、第１側壁部(22)と第１折り返し部(23)の間に第１フラップ部(28)を挟持し、第３側壁部(24)と第２折り返し部(25)の間に第２フラップ部(29)を挟持する。
又、図５に示すＫ線に沿って谷折りとすることにより、第２折り返し部(25)と直交するアーム部(26)を形成する。
【００１８】
この結果、図４に示す内箱(２)が完成する。一方、外箱(１)は図３に示す如く、四角形の底壁部(11)と、該底壁部(41)の４辺から立ち上がる４つの側壁部(12)(14)(13)(15)と、各側壁部(12)(14)(13)(15)の上端縁に突設された４つの蓋部(図示省略)とから構成されている。
【００１９】
内箱(２)は、図４に示す様に、四角形の底壁部(21)の４辺から立ち上がる４つの側壁部(22)(27)(24)(30)を具え、第１側壁部(22)の外側には、該側壁部(22)の上端縁にて折り返された第１折り返し部(23)が形成されると共に、第３側壁部(24)の外側には、該側壁部(24)の上端縁にて折り返された第２折り返し部(25)が形成されている。
又、第２側壁部(27)の両端部には、第２側壁部(27)と直交する第１フラップ部(28)と第２フラップ部(29)が突設され、第１フラップ部(28)は第１側壁部(22)と第１折り返し部(23)との間に挟持されると共に、第２フラップ部(29)は第３側壁部(24)と第２折り返し部(25)の間に挟持されている。
【００２０】
上記の様にして作製された内箱(２)を図１及び図２の如く外箱(１)の内部に設置することにより、内箱(２)の第１折り返し部(23)は外箱(１)の第１側壁部(12)に沿って伸び、第１折り返し部(23)の突出部分がアーム部(23a)となって、該アーム部(23a)の先端が外箱(１)の第２側壁部(14)の内面に当接すると共に、折り畳み部(31)(32)の先端が外箱(１)の第４側壁部(15)の内面に当接する。又、第２折り返し部(25)に突設されたアーム部(26)の先端が外箱(１)の第３側壁部(13)の内面に当接する。この結果、内箱(２)は、外箱(１)の内部空間に拘持されることになる。
【００２１】
上記本発明の梱包装置においては、内箱(２)の第２側壁部(27)の一方の端部に突設された第１フラップ部(28)が第１側壁部(22)と第１折り返し部(23)の間に挟持されると共に、第２側壁部(27)の他方の端部に突設された第２フラップ部(29)が第３側壁部(24)と第２折り返し部(25)の間に挟持されているので、両フラップ部(28)(29)の拘束に伴って第２側壁部(27)のずれが阻止される。
【００２２】
又、第１側壁部(22)と第３側壁部(24)が第２側壁部(27)を介して互いに離間不能に連結されるため、内箱(２)の折り畳み部(31)(32)に発生する開き方向の反発力も受け止められ、第４側壁部(30)のずれが阻止される。
この結果、内箱(２)の変形が防止されて、内箱(２)の内側と外側に形成されている２つの収容空間の形状が一定に維持されることになる。
【００２３】
尚、本発明の各部構成は上記実施の形態に限らず、特許請求の範囲に記載の技術的範囲内で種々の変形が可能である。例えば、フラップ部(28)(29)は、内箱(２)の展開状態で側壁部(22)(24)に接する形状に限らず、図１０(ａ)(ｂ)の如く、側壁部(22)(24)から離間して側壁部(27)の端部から突出した種々の形状(長方形、三角形等)を採用することが可能である。
【図面の簡単な説明】
【００２４】
【図１】本発明に係る梱包装置の一部破断平面図である。
【図２】同上の一部破断斜視図である。
【図３】外箱の一部破断平面図である。
【図４】本発明の内箱の平面図である。
【図５】該内箱の展開図である。
【図６】該内箱の組立方法を説明する斜視図である。
【図７】従来の梱包装置の一部破断平面図である。
【図８】該梱包装置の不具合を説明する一部破断平面図である。
【図９】従来の内箱の展開図である。
【図１０】他の実施例を示す展開図である。
【符号の説明】
【００２５】
(１)  外箱
(11)  底壁部
(12)  第１側壁部
(14)  第２側壁部
(13)  第３側壁部
(15)  第４側壁部
(２)  内箱
(21)  底壁部
(22)  第１側壁部
(27)  第２側壁部
(24)  第３側壁部
(30)  第４側壁部
(23)  第１折り返し部
(25)  第２折り返し部
(28)  第１フラップ部
(29)  第２フラップ部
(31)  折り畳み部
(32)  折り畳み部
(23a) アーム部
(26)  アーム部
【図１】
0005219523.tif 000002
【図２】
0005219523.tif 000003
【図３】
0005219523.tif 000004
【図４】
0005219523.tif 000005
【図５】
0005219523.tif 000006
【図６】
0005219523.tif 000007
【図７】
0005219523.tif 000008
【図８】
0005219523.tif 000009
【図９】
0005219523.tif 000010
【図１０】
0005219523.tif 000011